(57)【要約】【課題】ユーザが用紙に形成される仕上がり画像をイメージしつつ、微妙なクリアトナー塗布位置を確実に認識することができるようにする。【解決手段】画像形成装置１によれば、制御部１１０は、有色トナー用の画像データ及びクリアトナーフォームデータに基づいてクリアトナー用の画像データを生成し、タイマー部１１２からの切り替え信号に応じて、有色トナー用の画像データに基づく有色トナー画像と、生成されたクリアトナー用の画像データにおけるクリアトナー塗布位置の画素の色を有色トナー画像における画素の色とは異なる色で表示したクリアトナー確認用画像と、を交互に切り替えてプレビュー画像として表示部１１４に表示させる。【選択図】図１１
2013246332.tif 000002
【特許請求の範囲】
【請求項１】
有色トナー用の画像データ及びクリアトナー用の画像データに基づいて、用紙に有色トナー像及びクリアトナー像からなる画像を形成する画像形成部と、前記画像形成部で形成される画像のプレビュー画像を表示する表示部と、を備える画像形成装置であって、
一定周期でＯＮとＯＦＦの切り替え信号を出力するタイマー部と、
有色トナー用の画像データ及び前記有色トナー用の画像データにおけるクリアトナー塗布位置を指示するクリアトナーフォームデータに基づいてクリアトナー用の画像データを生成し、前記タイマー部からの切り替え信号に応じて、前記有色トナー用の画像データに基づく有色トナー画像と、前記生成されたクリアトナー用の画像データにおけるクリアトナー塗布位置の画素の色を前記有色トナー画像における画素の色とは異なる色で表示したクリアトナー確認用画像と、を交互に切り替えてプレビュー画像として前記表示部に表示させる制御部と、
を備える画像形成装置。
【請求項２】
前記制御部は、前記生成されたクリアトナー用の画像データにおけるクリアトナー塗布位置の画素の色を前記有色トナー画像における前記クリアトナー塗布位置の画素値を反転させた色で表示したクリアトナー確認用画像を表示する請求項１に記載の画像形成装置。
【請求項３】
前記クリアトナーフォームデータに基づくクリアトナー使用量を基準として、この基準に対する前記画像形成部のクリアトナー使用量をユーザが設定するための操作部を備え、
前記制御部は、前記有色トナー用の画像データ、前記クリアトナーフォームデータ、及び前記操作部からの設定に基づいて前記クリアトナー用の画像データを生成する請求項１又は２に記載の画像形成装置。
【請求項４】
前記タイマー部は、前記クリアトナーフォームデータに基づくクリアトナー使用量と前記クリアトナー用の画像データに基づくクリアトナー使用量との差分に応じて、前記切り替え信号のＯＮ時間又はＯＦＦ時間を増減する請求項３に記載の画像形成装置。
【請求項５】
前記制御部は、前記操作部によりクリアトナー使用量の設定が変更された場合に、変更後の前記クリアトナー使用量の設定に基づいて前記クリアトナー用の画像データを再生成し、前記有色トナー用の画像データに基づく有色トナー画像と、前記再生成されたクリアトナー用の画像データに基づく前記クリアトナー確認用画像と、を交互に切り替えてプレビュー画像として前記表示部に表示させる請求項３又は４に記載の画像形成装置。
【請求項６】
前記操作部は、前記クリアトナーフォームデータに基づくクリアトナー使用量を基準として前記画像形成部のクリアトナー使用量を増加させる設定が可能である請求項３〜５の何れか一項に記載の画像形成装置。
【請求項７】
前記操作部は、前記クリアトナーフォームデータに基づくクリアトナー使用量を基準として前記画像形成部のクリアトナー使用量を減少させる設定が可能である請求項３〜５の何れか一項に記載の画像形成装置。
【発明の詳細な説明】
【技術分野】
【０００１】
本発明は、画像形成装置に関する。
【背景技術】
【０００２】
近年、電子写真技術の画質をオフセット印刷に近付ける目的で、従来のＹ、Ｍ、Ｃ、Ｋ（イエロー、マゼンタ、シアン、ブラック）などの有色トナーに加えて、光沢を出すための透明トナー（以下、クリアトナーという）等の色を持たないトナーを使用するようになってきている。
【０００３】
クリアトナーを用いる方法の一つとして、クリアトナーオーバーレイの方法が知られている。これはまず、クリアトナー塗布位置を指示するクリアトナーフォームデータを予めパソコン等のプリンタドライバより画像形成装置に送信して登録しておき、ジョブ送信時に予め登録されたクリアトナーフォームデータを指定し、画像形成装置でジョブの画像データと指定されたクリアトナーフォームデータとを合成してクリアトナーの載った画像を形成する方法である。
【０００４】
このようなクリアトナーオーバーレイの技術において、クリアトナーの実際の塗布位置をオペレータがプレビューするための技術が提案されている。
例えば、特許文献１には、クリアトナーを載せる部分であるクリアトナー塗布位置とクリアトナーを載せない部分にそれぞれ特定色を割り当て、原稿の有色画像に重ね合わせてプレビュー表示する印刷制御装置が記載されている。印刷装置では、クリアトナー塗布位置として指示された領域であっても有色トナーの濃度が閾値以下の領域についてはクリアトナーを塗布しない場合があり、これを確認できるようにすることが目的である。
【０００５】
また、特許文献２には、クリアトナーの画像領域を有色トナーの画像領域に比べて強調表示してプレビュー表示する画像形成装置が記載されている。
【先行技術文献】
【特許文献】
【０００６】
【特許文献１】特開２０１０−３３４１９号公報
【特許文献２】特開２０１１−５９４４５号公報
【発明の概要】
【発明が解決しようとする課題】
【０００７】
ここで、図１３（ａ）〜図１３（ｃ）を参照して、原稿画像の文字領域のみにクリアトナーを載せる場合の特許文献１の技術によるプレビュー表示の一例について説明する。図１３（ａ）は、入力された原稿の画像データ（有色トナー用の画像データ）に基づく画像を示す図である。図１３（ｂ）は、クリアトナーフォームデータにより指示されたクリアトナー塗布位置を示す図である。斜線部分がクリアトナー塗布位置である。図１３（ｃ）は、図１３（ａ）の画像データ及び図１３（ｂ）のクリアトナーフォームデータに基づいて、特許文献１の技術を用いて表示したプレビュー画像の一例を示す図である。図１３（ｃ）においては、クリアトナーを載せる領域を第１の特定色（図１３（ｃ）においてドットで示す）、クリアトナーを載せない領域を第２の特定色（図１３（ｃ）において白で示す）で表している。
【０００８】
クリアトナーは元々無色であるが、図１３（ｃ）に示すように、その塗布位置を示すマーカーとして特定色を割り当てると、逆に仕上がり画像のイメージがわかりにくくなってしまうという問題がある。
【０００９】
また、図１４（ａ）〜図１４（ｄ）を参照して、原稿画像の文字領域より大きめのクリアトナー塗布が指示された場合の特許文献１及び特許文献２の技術によるプレビュー表示の一例について説明する。
図１４（ａ）は、入力された原稿の画像データに基づく原稿画像を示す図である。図１４（ｂ）は、クリアトナーフォームデータにより指示されたクリアトナー塗布位置を示す図である。斜線部分がクリアトナー塗布位置である。トナー塗布位置の領域は図１４（ａ）に示す画像データの文字領域より一回り大きい。図１４（ｃ）は、図１４（ａ）の画像データ及び図１４（ｂ）のクリアトナーフォームデータに基づいて、特許文献１の技術を用いて表示したプレビュー画像の一例を示す図である。図１４（ｃ）においては、クリアトナーを載せる領域を第１の特定色（図１４（ｃ）においてドットで示す）、クリアトナーを載せない領域を第２の特定色（図１４（ｃ）において白で示す）として表している。図１４（ｄ）は、図１４（ａ）の画像データ及び図１４（ｂ）のクリアトナーフォームデータに基づいて、特許文献２の技術を用いて表示したプレビュー表示の一例を示す図である。ここでは、クリアトナーのみの領域を黒、クリアトナーと文字が重なった領域をドットで示している。
【００１０】
図１４（ｃ）に示すように、特許文献１に記載の技術によるプレビュー表示では、上述のように、仕上がり画像のイメージがわかりにくいという問題がある。また、有色トナー画像領域とクリアトナー画像領域との大小関係や位置関係が把握しづらく、有色トナー画像に対するクリアトナーの細かな重なり具合をユーザが把握できないという問題がある。例えば、本例のトナー塗布位置は有色トナーの文字領域より若干大きいが、図１４（ｃ）に示す画像のみを表示したのでは、それを認識することは難しい。
また、図１４（ｄ）に示すように、特許文献２に記載の技術によるプレビュー表示では、有色トナー画像領域とクリアトナー画像領域との大小関係や位置関係は示されているが、微妙な違いである場合は、やはり把握するのは難しい。また、有色トナー領域とクリアトナー領域が仕上がり画像とは異なる色等で重畳されるため、やはり仕上がり画像のイメージが把握しづらいという問題がある。
【００１１】
本発明の課題は、ユーザが用紙に形成される仕上がり画像をイメージしつつ、微妙なクリアトナー塗布位置を確実に認識することができるようにすることである。
【課題を解決するための手段】
【００１２】
上記課題を解決するため、請求項１に記載の発明は、
有色トナー用の画像データ及びクリアトナー用の画像データに基づいて、用紙に有色トナー像及びクリアトナー像からなる画像を形成する画像形成部と、前記画像形成部で形成される画像のプレビュー画像を表示する表示部と、を備える画像形成装置であって、
一定周期でＯＮとＯＦＦの切り替え信号を出力するタイマー部と、
有色トナー用の画像データ及び前記有色トナー用の画像データにおけるクリアトナー塗布位置を指示するクリアトナーフォームデータに基づいてクリアトナー用の画像データを生成し、前記タイマー部からの切り替え信号に応じて、前記有色トナー用の画像データに基づく有色トナー画像と、前記生成されたクリアトナー用の画像データにおけるクリアトナー塗布位置の画素の色を前記有色トナー画像における画素の色とは異なる色で表示したクリアトナー確認用画像と、を交互に切り替えてプレビュー画像として前記表示部に表示させる制御部と、
を備える。
【００１３】
請求項２に記載の発明は、請求項１に記載の発明において、
前記制御部は、前記生成されたクリアトナー用の画像データにおけるクリアトナー塗布位置の画素の色を前記有色トナー画像における前記クリアトナー塗布位置の画素値を反転させた色で表示したクリアトナー確認用画像を表示する。
【００１４】
請求項３に記載の発明は、請求項１又は２に記載の発明において、
前記クリアトナーフォームデータに基づくクリアトナー使用量を基準として、この基準に対する前記画像形成部のクリアトナー使用量をユーザが設定するための操作部を備え、
前記制御部は、前記有色トナー用の画像データ、前記クリアトナーフォームデータ、及び前記操作部からの設定に基づいて前記クリアトナー用の画像データを生成する。
【００１５】
請求項４に記載の発明は、請求項３に記載の発明において、
前記タイマー部は、前記クリアトナーフォームデータに基づくクリアトナー使用量と前記クリアトナー用の画像データに基づくクリアトナー使用量との差分に応じて、前記切り替え信号のＯＮ時間又はＯＦＦ時間を増減する。
【００１６】
請求項５に記載の発明は、請求項３又は４に記載の発明において、
前記制御部は、前記操作部によりクリアトナー使用量の設定が変更された場合に、変更後の前記クリアトナー使用量の設定に基づいて前記クリアトナー用の画像データを再生成し、前記有色トナー用の画像データに基づく有色トナー画像と、前記再生成されたクリアトナー用の画像データに基づく前記クリアトナー確認用画像と、を交互に切り替えてプレビュー画像として前記表示部に表示させる。
【００１７】
請求項６に記載の発明は、請求項３〜５の何れか一項に記載の発明において、
前記操作部は、前記クリアトナーフォームデータに基づくクリアトナー使用量を基準として前記画像形成部のクリアトナー使用量を増加させる設定が可能である。
【００１８】
請求項７に記載の発明は、請求項３〜５の何れか一項に記載の発明において、
前記操作部は、前記クリアトナーフォームデータに基づくクリアトナー使用量を基準として前記画像形成部のクリアトナー使用量を減少させる設定が可能である。
【発明の効果】
【００１９】
本発明によれば、ユーザが用紙に形成される仕上がり画像をイメージしつつ、微妙なクリアトナー塗布位置を確実に認識することが可能となる。
【図面の簡単な説明】
【００２０】
【図１】画像形成装置の機能的構成を示すブロック図である。
【図２】図１の画像形成部の概略構成を示す図である。
【図３】クリアトナー使用量設定が標準の場合の出力画像データとクリアトナー用画像データを示すグラフである。
【図４】クリアトナー使用量設定がコスト優先の場合の出力画像データとクリアトナー用画像データを示すグラフである。
【図５】クリアトナー使用量設定が光沢優先の場合の出力画像データとクリアトナー用画像データを示すグラフである。
【図６】クリアトナー使用量設定が色再現優先の場合の出力画像データとクリアトナー用画像データを示すグラフである。
【図７】クリアトナー使用量設定が紙種優先の場合の出力画像データとクリアトナー用画像データを示すグラフである。
【図８】図１の制御部により実行されるプレビュー表示処理を示すフローチャートである。
【図９】プレビュー画像を表示部に表示するための処理工程を示す図である。
【図１０】タイマー部により出力される切り替え信号とプレビュー画像の表示切り替えを示すタイミングチャートである。
【図１１】有色トナー画像の文字領域とクリアトナー塗布位置が一致する場合のプレビュー表示例を示す図である。
【図１２】有色トナー画像の文字領域よりクリアトナー塗布位置が若干大きい場合のプレビュー表示例を示す図である。
【図１３】有色トナー画像の文字領域とクリアトナー塗布位置が一致する場合の従来技術によるプレビュー表示を説明するための図である。
【図１４】有色トナー画像の文字領域よりクリアトナー塗布位置が若干大きい場合の従来技術によるプレビュー表示を説明するための図である。
【発明を実施するための形態】
【００２１】
本実施形態における画像形成装置の構成及び動作について、図面を用いて詳細に説明する。なお、本実施形態ではカラーの画像形成装置を例に挙げて説明するが、本発明はこれに限らず、例えばモノクロの画像形成装置によっても本発明を実現することは可能である。
【００２２】
（画像形成装置１の構成）
図１に、画像形成装置１の機能ブロック図を示す。
図１に示すように、画像形成装置１は、画像読取部１０１、入力画像処理部１０２、画像メモリー部１０３、出力画像処理部１０４、画像形成部１０５、ＨＤＤ１０７、通信部１０８、制御部１１０、記憶部１１１、タイマー部１１２、操作部１１３、表示部１１４を備えて構成され、各部はバス１０６を介して接続されている。
【００２３】
画像読取部１０１は、光源、光学系、イメージセンサ等を備える。画像読取部１０１は、原稿を走査して原稿の画像を読み取り、得られたアナログ画像信号からＲ、Ｇ、Ｂ（レッド、グリーン、ブルー）のデジタルの画像データを生成して入力画像処理部１０２に出力する。
【００２４】
入力画像処理部１０２は、入力された画像データに対してシェーディング補正やＭＴＦ補正等の画像処理を施して画像メモリー部１０３に出力する。
【００２５】
画像メモリー部１０３は、半導体メモリー等により構成される。画像メモリー部１０３は、入力画像処理部１０２から入力された画像データを格納し、画像形成時に、格納されている画像データを読み出して出力画像処理部１０４に出力する。また、空き容量が予め定められた閾値以下となった場合は、ＨＤＤ１０７に画像データを一時的に退避させ、必要時にＨＤＤ１０７から画像データを読み出して出力画像処理部１０４に出力する。
【００２６】
出力画像処理部１０４は、画像メモリー部１０３から入力されたＲ、Ｇ、Ｂ３色分の画像データをＹ、Ｍ、Ｃ、Ｋ（イエロー、マゼンタ、シアン、ブラック）４色分の画像データに変換し、制御部１１０により作成されるクリアトナー用の画像データとともに画像形成部１０５の専用インターフェースに出力する。なお、Ｒ、Ｇ、ＢやＹ、Ｍ、Ｃ、Ｋ等の、有色トナー用の画像データを有色トナー用画像データと呼ぶ。また、クリアトナー用の画像データをクリアトナー用画像データと呼ぶ。
【００２７】
画像形成部１０５は、Ｙ、Ｍ、Ｃ、Ｋ、の４色の有色トナー用画像データとクリアトナー用画像データに基づいて、電子写真方式により用紙に画像を形成する。
画像形成部１０５は、イエロー、マゼンタ、シアン、黒の４色の有色トナーを用いて画像形成を行う有色用の画像形成ユニットのほか、クリアトナーを用いて画像形成を行う透明用の画像形成ユニットを有している。クリアトナーは、画像の光沢度を調整するためのトナーであり、少なくとも結着樹脂を含有している。クリアトナーは、無色透明であることが好ましいが、その中に含まれる成分によって若干透明度が低くなっているトナーも含まれる。
【００２８】
図２に、画像形成部１０５の概略構成を示す。
図２に示すように、画像形成部１０５は、露光ユニット４１ＣＬＲ、４１Ｙ、４１Ｍ、４１Ｃ、４１Ｋと、現像ユニット４２ＣＬＲ、４２Ｙ、４２Ｍ、４２Ｃ、４２Ｋと、感光体ドラム４３ＣＬＲ、４３Ｙ、４３Ｍ、４３Ｃ、４３Ｋと、帯電部４４ＣＬＲ、４４Ｙ、４４Ｍ、４４Ｃ、４４Ｋと、クリーニング部４５ＣＬＲ、４５Ｙ、４５Ｍ、４５Ｃ、４５Ｋと、転写部材としての一次転写ローラー４６ＣＬＲ、４６Ｙ、４６Ｍ、４６Ｃ、４６Ｋと、中間転写体としての中間転写ベルト４７と、クリーニング部４８と、二次転写ローラー４９と、給紙部４０３と、搬送部４０４と、定着ユニット４０５と、を備えて構成されている。各部の符号のＣＬＲ、Ｙ、Ｍ、Ｃ、Ｋは、各部で取り扱うトナー色を表しており、それぞれ順に透明、イエロー、マゼンタ、シアン、ブラックを表すものとする。
【００２９】
露光ユニット４１ＣＬＲ、４１Ｙ、４１Ｍ、４１Ｃ、４１Ｋは、ＬＤ（Laser Diode）
等のレーザー光源、ポリゴンミラー、複数のレンズ等から構成される。露光ユニット４１ＣＬＲ、４１Ｙ、４１Ｍ、４１Ｃ、４１Ｋは、出力画像処理部１０４から送られる画像データに基づいて、感光体ドラム４３ＣＬＲ、４３Ｙ、４３Ｍ、４３Ｃ、４３Ｋの表面をレーザービームにより走査露光する。このレーザービームの走査露光により、帯電部４４ＣＬＲ、４４Ｙ、４４Ｍ、４４Ｃ、４４Ｋによって帯電された感光体ドラム４３ＣＬＲ、４３Ｙ、４３Ｍ、４３Ｃ、４３Ｋに潜像が形成、すなわち画像が書き込まれる。
【００３０】
感光体ドラム４３ＣＬＲ、４３Ｙ、４３Ｍ、４３Ｃ、４３Ｋ上に形成された潜像は、対応する現像ユニット４２ＣＬＲ、４２Ｙ、４２Ｍ、４２Ｃ、４２Ｋにより各色成分のトナーが付着されることより顕像化され、各感光体ドラム４３ＣＬＲ、４３Ｙ、４３Ｍ、４３Ｃ、４３Ｋ上に各色成分のトナー像が形成される。
【００３１】
感光体ドラム４３ＣＬＲ、４３Ｙ、４３Ｍ、４３Ｃ、４３Ｋ上に形成されて担持されたトナー像は、図示しない電源より一定の電圧が印加された一次転写ローラー４６ＣＬＲ、４６Ｙ、４６Ｍ、４６Ｃ、４６Ｋにより、中間転写ベルト４７上の所定位置に順次転写され、一次転写される。トナー像の転写を終えた各感光体ドラム４３ＣＬＲ、４３Ｙ、４３Ｍ、４３Ｃ、４３Ｋの表面は、クリーニング部４５ＣＬＲ、４５Ｙ、４５Ｍ、４５Ｃ、４５Ｋによって残留トナーが除去される。
【００３２】
中間転写ベルト４７は、複数のローラーに懸架され回転可能に支持された半導電性エンドレスベルトであり、ローラーの回転に伴って回転駆動される。
この中間転写ベルト４７は、一次転写ローラー４６ＣＬＲ、４６Ｙ、４６Ｍ、４６Ｃ、４６Ｋにより、対向するそれぞれの感光体ドラム４３ＣＬＲ、４３Ｙ、４３Ｍ、４３Ｃ、４３Ｋに圧着される。一次転写ローラー４６ＣＬＲ、４６Ｙ、４６Ｍ、４６Ｃ、４６Ｋのそれぞれには印加された電圧に応じた転写電流が流れる。これにより各感光体ドラム４３ＣＬＲ、４３Ｙ、４３Ｍ、４３Ｃ、４３Ｋの表面に現像された各トナー像は、それぞれ各一次転写ローラー４６ＣＬＲ、４６Ｙ、４６Ｍ、４６Ｃ、４６Ｋにより順次中間転写ベルト４７に転写（一次転写）される。
一方、給紙部４０３では制御部１１０から指示された種類の用紙が給紙され、搬送部４０４の各部により二次転写ローラー４９による転写位置に搬送される。そして、搬送された用紙に二次転写ローラー４９によりカラー画像のトナー像が転写（二次転写）される。転写後、用紙は定着ユニット４０５に搬送され、用紙に転写されたトナー像が熱定着される。中間転写ベルト４７の残留トナーはベルトクリーニング部４８により除去される。
【００３３】
図１に戻り、ＨＤＤ（Hard Disk Drive）１０７は、画像読取部１０１で読み取られたデジタル画像データ、制御部１１０において展開された有色トナー用画像データ、これに対応するクリアトナーフォームデータ、制御部１１０で生成されたクリアトナー用画像データ及びこれらに関連する属性データ等をジョブ毎に対応付けて格納する。
通信部１０８は、イーサネット（登録商標）等のＬＡＮ（Local Area Network）を介して外部のＰＣ（Personal Computer）１０９と接続し、各種データの送受信を行う。
【００３４】
制御部１１０は、例えば、ＣＰＵ（Central Processing Unit）、ＲＯＭ（Read Only Memory）、ＲＡＭ（Random Access Memory）等により構成される。制御部１１０のＣＰＵは、ＲＯＭに記憶されているシステムプログラムや各種処理プログラムを読み出してＲＡＭに展開し、展開されたプログラムに従って各種処理を実行し、画像形成装置１各部の動作を集中制御する。
例えば、制御部１１０は、通信部１０８により入力されたジョブの画像データ（有色トナー用画像データ）をＰＤＬ（Page Description Page）形式やＴｉｆｆ形式等のページ記述言語形式からビットマップ等の画像形成部１０５で利用可能な画像形式に展開するラスタライズ（ＲＩＰ：Raster Image Processing）処理を行う。
また、制御部１１０は、通信部１０８により入力されたクリアトナーフォームデータとＲＩＰ処理により展開された有色トナー用画像データに基づいてクリアトナー用画像データを生成し、ＨＤＤ１０７に出力する。
ここで、クリアトナーフォームデータとは、ＰＣ１０９から入力されるデータであり、有色トナー用画像データの各画素にクリアトナーを載せるか否かを指示する２値データである。
また、制御部１１０は、図８に示すプレビュー表示処理を実行する。
【００３５】
記憶部１１１は、半導体の不揮発メモリーにより構成され、各種情報を記憶する。例えば、操作部１１３から入力された設定情報等を記憶する。
タイマー部１１２は、水晶発振器等を基準にした時間計数部を有し、一定周期でＯＮ／ＯＦＦを繰り返す切り替え信号を生成して制御部１１０に出力する。
【００３６】
操作部１１３は、テンキー、ジョブを開始するためのスタートキー、プレビュー表示を指示するためのプレビュー表示キー等の各種キーを備え、ユーザによるキー操作を受け付けて、その操作信号を制御部１１０に出力する。また、操作部１１３は、表示部１１４のＬＣＤの上面を覆うように透明電極を格子状に配置した感圧式（抵抗膜圧式）のタッチパネルを有し、手指やタッチペン等で押下された力点のＸＹ座標を電圧値で検出し、検出された位置信号を操作信号として制御部１１０に出力する。なお、タッチパネルは、感圧式に限らず、他の静電式、光式等であってもよい。
表示部１１４は、ＬＣＤ（Liquid Crystal Display）等により構成され、制御部１１０から入力される表示信号の指示に従って表示画面上に各種設定画面やジョブの一覧画面の表示、装置の状態表示、画像形成装置１における画像の仕上がりを事前に確認するためのプレビュー画像の表示等を行う。
【００３７】
本実施の形態において、表示部１１４により表示される設定画面には、操作部１１３によりクリアトナー使用量を設定するためのクリアトナー使用量設定画面（図示せず）が含まれる。
クリアトナー使用量設定画面は、標準ボタン、コスト優先ボタン、光沢優先ボタン、色再現優先ボタン、紙種優先ボタンの５つの操作ボタンが設けられている。このクリアトナー使用量設定画面から何れかの操作ボタンが押下されると、制御部１１０により、押下されたボタンに応じた設定情報が記憶部１１１に記憶される。
【００３８】
ここで、図３〜図７を参照して、上記の標準、コスト優先、光沢優先、色再現優先、紙種優先のそれぞれが設定されている場合における有色トナー用画像データと制御部１１０により生成されるクリアトナー用画像データの関係について説明する。
図３〜図７において、（ａ）は、出力画像データ（有色トナー用画像データ＋クリアトナー用画像データ）を示す図、（ｂ）は、クリアトナー用画像データを示す図である。横軸は画素位置、縦軸はトナー付着量（トナー使用量）である。
なお、図３〜図７においては、クリアトナーフォームデータにより有色トナーがある位置にクリアトナーを塗布することが指示されていることとする。
【００３９】
図３は、クリアトナー使用量として標準が設定された場合の出力画像データ及びクリアトナー用画像データを示す図である。標準設定は、ＰＣ１０９から送信されたクリアトナーフォームデータにより指示されたクリアトナー塗布位置に予め設定された量のクリアトナーを塗布する設定であり、クリアトナーフォームデータに基づくクリアトナー使用量と実際に画像形成部１０５により使用されるクリアトナー使用量は等しい。例えば、図３（ａ）に示すように、有色トナーが塗布される画素位置がＸ１、Ｘ３、Ｘ５である場合、図３（ｂ）に示すように、位置Ｘ１、Ｘ３、Ｘ５にクリアトナーが塗布される。
【００４０】
図４は、クリアトナー使用量としてコスト優先が設定された場合の出力画像データ及びクリアトナー用画像データを示す図である。コスト優先設定は、ＰＣ１０９から送信されたクリアトナーフォームデータにより指示されたクリアトナー塗布位置であっても、有色トナー用画像データに基づくトナー付着量が予め定められた閾値より少ない位置についてはクリアトナーを塗布しない設定である。有色トナーの付着量が或る基準より少ないとクリアトナーの効果が低くなるため、コストパフォーマンスの面からその部分へのクリアトナー塗布をカットし、使用するクリアトナー使用量を削減することを目的としている。
例えば、図４（ａ）に示すように、有色トナーが塗布される画素位置Ｘ１、Ｘ３、Ｘ５のうち、Ｘ１における有色トナーの付着量が閾値より少ない場合、図４（ｂ）に示すように位置Ｘ１にはクリアトナーは塗布されない。
【００４１】
図５は、クリアトナー使用量として光沢優先が設定された場合の出力画像データ及びクリアトナー用画像データを示す図である。光沢優先設定は、隣り合う画素で有色トナーとクリアトナーの総付着量差が小さくなるように、クリアトナー塗布指示がない位置にもクリアトナーを塗布する設定である。隣接する画素間でのトナー付着量の差が小さくなると用紙に形成される画像の平滑性が増し、光沢度が向上するからである。光沢優先設定の場合、クリアトナー使用量はクリアトナーフォームデータによる指示に従った場合と同等若しくは増加する。
例えば、図５（ａ）に示すように、有色トナーが塗布される画素位置がＸ１、Ｘ３、Ｘ５である場合、図５（ｂ）に示すように、クリアトナー塗布が指示されているＸ１、Ｘ３、Ｘ５のほか、クリアトナー塗布が指示されていないＸ０、Ｘ２、Ｘ４、Ｘ６にもクリアトナーが塗布される。
【００４２】
図６は、クリアトナー使用量として色再現優先が設定された場合の出力画像データ及びクリアトナー用画像データを示す図である。色再現優先設定は、ＰＣ１０９から送信されたクリアトナーフォームデータにより指示されたクリアトナー塗布位置であっても、有色トナー用画像データとクリアトナーフォームデータに基づいて決定される有色トナーとクリアトナーの総付着量が画像形成部１０５のトナー最大付着量を超える場合、その位置にはクリアトナーを塗布しない設定である。トナー最大付着量は、画像形成部１０５における定着性能の限界を超えた量のトナーが付着されることのないように設定されているもので、有色トナーとクリアトナーの総付着量がトナー最大付着量を超える場合はクリアトナーの塗布を行わないようにして、有色トナー用画像データの色再現に影響がないようにするためである。色再現優先設定の場合、クリアトナー使用量はクリアトナーフォームデータによる指示に従った場合と同等若しくは減少する。
例えば、図６（ａ）に示すように、有色トナーが塗布される画素位置がＸ１、Ｘ３、Ｘ５であり、Ｘ５の有色トナーにクリアトナーを重ねると総トナー付着量がトナー最大付着量を超える場合、図６（ｂ）に示すように位置Ｘ５にはクリアトナーは塗布されない。
【００４３】
図７は、クリアトナー使用量として紙種優先が設定された場合の出力画像データ及びクリアトナー用画像データを示す図である。紙種優先設定は、有色トナーの近傍画素についてはクリアトナー塗布指示がない場合であってもクリアトナーを塗布する設定である。エンボス紙等の平滑性の低い紙種では、クリアトナーを塗布して平滑性を向上させると見栄えが良くなるからである。紙種優先設定の場合、クリアトナー使用量はクリアトナーフォームデータによる指示に従った場合と同等若しくは増加する。
例えば、図７（ａ）に示すように、有色トナーが塗布される画素位置がＸ１、Ｘ３、Ｘ５である場合、図７（ｂ）に示すように、クリアトナー塗布が指示されているＸ１、Ｘ３、Ｘ５のほか、トナー塗布が指示されていないＸ０、Ｘ２、Ｘ４、Ｘ６にもクリアトナーが塗布される。
【００４４】
（画像形成装置１の動作）
次に、画像形成装置１の動作について説明する。
図８に、プレビュー表示処理のフローチャートを示す。プレビュー表示処理は、操作部１１３によりプレビュー表示対象のジョブが選択され、プレビュー表示が指示された際に、制御部１１０により実行される。
【００４５】
まず、選択されたジョブのクリアトナー用画像データが生成済みであるか否かが判断される（ステップＳ１）。選択されたジョブのクリアトナー用画像データが生成済みであると判断された場合（ステップＳ１；ＹＥＳ）、処理はステップＳ３に移行する。選択されたジョブのクリアトナー用画像データが未作成であると判断されると（ステップＳ１；ＮＯ）、クリアトナー用画像データが生成され（ステップＳ２）、処理はステップＳ３に移行する。
【００４６】
ステップＳ２においては、まず、記憶部１１１のクリアトナー使用量の設定情報が参照され、通信部１０８を介してＰＣ１０９から入力されＲＩＰ処理により展開された対象ジョブの有色トナー用画像データと、通信部１０８を介してＰＣ１０９から入力されたクリアトナーフォームデータに基づいて、クリアトナー使用量設定に応じたクリアトナー用画像データが生成される。
【００４７】
例えば、クリアトナー使用量設定が標準である場合、クリアトナーフォームデータで指示された塗布位置に予め定められた付着量のクリアトナーが塗布されるようにクリアトナー用画像データが生成される。
【００４８】
クリアトナー使用量設定がコスト優先である場合、クリアトナーフォームデータで塗布が指示された画素位置のうち、有色トナー用画像データの画素値が予め定められた閾値より低い位置を除いた位置に予め定められた付着量のクリアトナーが塗布されるようにクリアトナー用画像データが生成される。
【００４９】
クリアトナー使用量設定が光沢優先である場合、クリアトナーフォームデータと有色トナー用画像データに基づいて、隣り合う画素で有色トナーとクリアトナーの総付着量差が小さくなるようにクリアトナー用画像データが生成される。例えば、図５に示すように、クリアトナー塗布が指示されている画素の間に塗布が指示されていない画素がある場合、クリアトナー塗布が指示されていない位置に対しても隣の画素との総付着量の差に応じた量のクリアトナーが塗布されるようにクリアトナー用画像データが生成される。
【００５０】
クリアトナー使用量設定が色再現優先である場合、クリアトナーフォームデータと有色トナー用画像データに基づいて、各画素の有色トナーとクリアトナーの総付着量が算出され、算出された総付着量が画像形成部１０５の最大トナー付着量よりも多い位置にはクリアトナー塗布が指示された位置であってもクリアトナーが塗布されないようにクリアトナー用画像データが生成される。
【００５１】
クリアトナー使用量設定が紙種優先である場合、クリアトナーフォームデータと有色トナー用画像データに基づいて、クリアトナーフォームデータで塗布が指示された位置に加え、クリアトナー塗布が指示されていない位置であっても有色トナーの塗布位置の近傍画素にはクリアトナーが塗布されるようにクリアトナー用画像データが生成される。
【００５２】
図８に戻り、ステップＳ３においては、表示部１１４にプレビュー画像が表示される（ステップＳ３）。
【００５３】
図９に、プレビュー画像を表示部１１４に表示するための処理工程のブロック図を示す。
ステップＳ３においては、まず、クリアトナーフォームデータとクリアトナー用画像データに基づいて、クリアトナーフォームデータにより塗布を指示されたクリアトナー使用量と、クリアトナー用画像データに基づいて画像形成部１０５において実際に使用されるクリアトナー使用量との差分が算出される（ステップＴ１）。
【００５４】
ステップＴ１で算出された差分量はタイマー部１１２に入力され、タイマー部１１２においてクリアトナー使用量の差分量に基づいた切り替え信号が生成される（ステップＴ２）。切り替え信号は、ＯＦＦからＯＮを一周期として一定周期でＯＦＦ／ＯＮを繰り返す信号である。クリアトナー使用量の差分量が零、即ち、クリアトナーフォームデータにより塗布を指示されたクリアトナー使用量と実際に使用するクリアトナー使用量が等しい場合、ＯＦＦ期間とＯＮ期間が等しい切り替え信号がタイマー部１１２により生成される。クリアトナー使用量の差分量が負、即ち、クリアトナーフォームデータにより塗布を指示されたクリアトナー使用量より実際に使用するクリアトナー使用量が増加する場合、切り替え信号のＯＦＦ期間よりＯＮ期間が長い切り替え信号がタイマー部１１２により生成される。クリアトナー使用量の差分量が正、即ち、クリアトナーフォームデータにより塗布を指示されたクリアトナー使用量より実際に使用するクリアトナー使用量が減少する場合、切り替え信号のＯＦＦ期間がＯＮ期間より長い切り替え信号がタイマー部１１２により生成される。
【００５５】
ステップＴ３においては、タイマー部１１２から出力された切り替え信号に基づいて、プレビュー画像データが生成される（ステップＴ３）。
ステップＴ３においては、有色トナー用画像データ（ＲＧＢ）とクリアトナー用画像データに基づいてプレビュー画像が生成される。タイマー部１１２から出力された切り替え信号がＯＦＦのとき、有色トナー用画像データがプレビュー画像データとして出力される。タイマー部１１２から出力された切り替え信号がＯＮのとき、有色トナー用画像データ中のクリアトナー用画像データに基づくクリアトナー塗布位置の画素値が反転され、プレビュー画像データとして出力される。ここで、画素値を反転するとは、画素値を２進数で表した値の１を０に、０を１に変換することをいう。例えば、１０進数で０〜２５５の画像データの場合、画素値０であれば２５５、画素値１００であれば１５５に変換される。
【００５６】
ステップＴ４においては、操作部１１３から入力された拡大／縮小の指示に基づいてプレビュー画像データに解像度変換処理が施される（ステップＴ４）。そして、解像度変換されたプレビュー画像データが表示部１１４に出力され、表示部１１４に表示される（ステップＴ５）。
【００５７】
図１０に、タイマー部１１２により出力される切り替え信号とプレビュー画像の表示切り替えのタイミングチャートを示す。
図１０（ａ）は、クリアトナーフォームデータに基づくクリアトナー使用量と画像形成部１０５で実際に使用するクリアトナー使用量が等しい場合のタイミングチャートである。例えば、切り替え信号の一周期を１．０［秒］とした場合、０〜０．５［秒］の間は切り替え信号がＯＦＦであり、この間は、何も加工しない有色トナー用画像データに基づく有色トナー画像がプレビュー画像として表示される。０．５秒経過して切り替え信号がＯＮに切り替わると、プレビュー表示の切り替えが行われ、切り替え信号が次にＯＦＦとなるまで（０．５秒〜１．０秒の間）有色トナー用画像データ中のクリアトナー塗布位置の画素値を反転したクリアトナー確認用画像がプレビュー画像として表示される。以後、この表示サイクルにより有色トナー画像とクリアトナー確認用画像が交互に繰り返し表示される。
【００５８】
図１０（ｂ）は、クリアトナーフォームデータに基づくクリアトナー使用量より画像形成部１０５で実際に使用するクリアトナー使用量が増加する場合のタイミングチャートである。このケースでは、０〜０．３［秒］の間は切り替え信号がＯＦＦであり、何も加工しない有色トナー用画像データに基づく有色トナー画像がプレビュー画像として表示される。０．３秒が経過して切り替え信号がＯＮに切り替わると、プレビュー画像の切り替えが行われ、切り替え信号が次にＯＦＦとなるまで（０．３秒〜１．０秒の間）有色トナー用画像データ中のクリアトナー塗布位置の画素値を反転したクリアトナー確認用画像がプレビュー画像として表示部１１４に切り替え表示される。以後、この表示サイクルにより有色トナー画像とクリアトナー確認用画像が交互に繰り返し表示される。
【００５９】
図１０（ｃ）は、クリアトナーフォームデータに基づくクリアトナー使用量より画像形成部１０５で実際に使用するクリアトナー使用量が減少する場合のタイミングチャートである。このケースでは、０〜０．７［秒］の間は切り替え信号がＯＦＦであり、何も加工しない有色トナー用画像データに基づいて有色トナー画像がプレビュー画像として表示される。０．７秒が経過して切り替え信号がＯＮに切り替わると、プレビュー画像の切り替えが行われ、切り替え信号が次にＯＦＦとなるまで（０．７秒〜１．０秒の間）有色トナー用画像データ中のクリアトナー塗布位置の画素値を反転したプレビュー画像が表示部１１４に切り替え表示される。以後、この表示サイクルにより有色トナー画像とクリアトナー確認用画像が交互に繰り返し表示される。
【００６０】
図１０（ａ）〜（ｃ）に示すように、画像形成部１０５で実際に使用するクリアトナー使用量がクリアトナーフォームデータに基づくクリアトナー使用量と等しいか、増加するか、或いは減少するかによって、有色トナー画像の表示時間と、クリアトナー確認用画像の表示時間とが制御される。具体的には、画像形成部１０５で実際に使用するクリアトナー使用量がクリアトナーフォームデータに基づくクリアトナー使用量と同等である場合、クリアトナー確認用画像の表示時間と有色トナー画像の表示時間とが等しくなるように制御される。画像形成部１０５で実際に使用するクリアトナー使用量がクリアトナーフォームデータに基づくクリアトナー使用量より増加する場合、クリアトナー確認用画像の表示時間が有色トナー画像の表示時間より長くなるように制御される。画像形成部１０５で実際に使用するクリアトナー使用量がクリアトナーフォームデータに基づくクリアトナー使用量より減少する場合、クリアトナー確認用画像の表示時間が有色トナー画像の表示時間より短くなるように制御される。
従って、ユーザは、クリアトナー確認用画像の表示時間が有色トナー画像の表示時間と同等か、長いか、或いは短いかによって、直感的に、画像形成部１０５におけるクリアトナー使用量がクリアトナーフォームデータにより指示されたものと同等か、増加するか、或いは減少するかを認識することが可能となる。
【００６１】
図１１〜図１２に、表示部１１４におけるプレビュー画像の表示例を示す。
図１１は、クリアトナー塗布位置が有色トナー画像による文字ＡＢＣＤＥの位置と一致している場合の表示例を示している。図１１の上段は、タイマー部１１２の切り替え信号がＯＦＦのときに表示されるプレビュー画像（有色トナー画像）である。図１１の下段は、タイマー部１１２の切り替え信号がＯＮのときに表示されるプレビュー画像（クリアトナー確認用画像）である。
切り替え信号ＯＦＦのときには、まず、図１１の上段に示す有色トナー画像が表示部１１４に表示される。これにより、ユーザは用紙に形成される画像の仕上がりのイメージを確認することができる。次いで、切り替え信号がＯＮに切り替わるのに応じて、図１１の下段に示すクリアトナー確認用画像が表示部１１４に表示される。クリアトナー確認用画像においては、クリアトナー塗布位置の色が有色トナー画像とは異なる色、具体的には、有色トナー画像におけるクリアトナー塗布位置の画素値を反転させた色で表示される。図１１の上段と下段の画像が表示部１１４の同一画面上で交互に繰り返し表示される。
【００６２】
図１２は、クリアトナー塗布位置が有色トナー画像による文字ＡＢＣＤＥより若干大きい範囲である場合の表示例を示している。図１２の上段は、タイマー部１１２の切り替え信号がＯＦＦのときに表示されるプレビュー画像（有色トナー画像）である。図１２の下段は、タイマー部１１２の切り替え信号がＯＮのときに表示されるプレビュー画像（クリアトナー確認用画像）である。
切り替え信号ＯＦＦのときには、まず、図１２の上段に示す有色トナー画像が表示部１１４に表示される。これにより、ユーザは用紙に形成される画像の仕上がりのイメージを確認することができる。次いで、切り替え信号がＯＮに切り替わるのに応じて、図１２の下段に示すクリアトナー確認用画像が表示部１１４に表示される。クリアトナー確認用画像においては、クリアトナー塗布位置の色が有色トナー画像とは異なる色、具体的には、有色トナー画像による文字ＡＢＣＤＥからはみ出たクリアトナー塗布位置が有色トナー画像の画素値（濃度値）０を反転させた２５５の色で表され、文字ＡＢＣＤと重なるクリアトナー塗布位置が有色トナー画像の画素値を反転させた色で表される。図１２の上段と下段の画像が表示部１１４の同一画面上で交互に繰り返し表示される。
【００６３】
図１１〜図１２に示すように、本実施の形態におけるプレビュー表示においては、有色トナー画像と、有色トナー画像におけるクリアトナー塗布位置の画素値を反転させたクリアトナー確認用画像と、が表示部１１４の同一画面の同じ位置に交互に切り替え表示されるので、ユーザは、仕上がり画像をイメージしながら、クリアトナー塗布位置を容易に認識することが可能となる。特に、クリアトナー塗布位置が有色トナー画像の文字等のオブジェクトの位置よりも微妙に大きい場合や微妙に小さい場合に、従来の技術ではその違いをユーザが把握しづらいという問題があったが、本実施の形態においては、クリアトナー塗布位置が有色トナー画像の色の変化として表れるので、ユーザは微妙なクリアトナー塗布位置を確実に把握することが可能となる。
さらに、クリアトナーフォームデータにより塗布を指示されたクリアトナー使用量に対して実際に使用するクリアトナー使用量が等しい場合には、有色トナー画像とクリアトナー確認用画像が同じ時間ずつ切り替え表示され、クリアトナーフォームデータにより塗布を指示されたクリアトナー使用量に対して実際に使用するクリアトナー使用量が増加する場合には、クリアトナー確認用画像のほうが長い時間表示され、クリアトナーフォームデータにより塗布を指示されたクリアトナー使用量に対して実際に使用するクリアトナー使用量が減少する場合、クリアトナー確認用画像のほうが短い時間で表示されるので、クリアトナー確認用画像が表示される時間の長さによってクリアトナー使用量が指示よりも増加するのか減少するのか、或いは同等であるのかをユーザがプレビュー画像の画面上で容易に把握することが可能となる。
【００６４】
図８に戻り、ステップＳ４においては、操作部１１３によりプレビュー表示の終了が指示されたか否かが判断される。プレビュー表示の終了が指示されていないと判断されると（ステップＳ４；ＮＯ）、操作部１１３によりクリアトナー使用量設定の変更が指示されたか否かが判断される（ステップＳ５）。操作部１１３によりクリアトナー使用量設定の変更が指示されていないと判断されると（ステップＳ５；ＮＯ）、処理はステップＳ３に戻る。操作部１１３によりクリアトナー使用量設定の変更が指示されたと判断されると（ステップＳ５；ＹＥＳ）、指示されたクリアトナー使用量設定に基づいてクリアトナー用画像データが再生成され（ステップＳ６）、処理はステップＳ３に戻り、新たに生成されたクリアトナー用画像データ、有色トナー用画像データ及びクリアトナーフォームデータに基づいて、表示部１１４にプレビュー画像が表示される。
操作部１１３によりプレビュー表示の終了が指示されたと判断されると（ステップＳＳ４；ＹＥＳ）、プレビュー表示処理は終了する。
【００６５】
以上説明したように、画像形成装置１によれば、制御部１１０は、有色トナー用画像データ及びクリアトナーフォームデータに基づいてクリアトナー用画像データを生成し、タイマー部１１２からの切り替え信号に応じて、有色トナー用画像データに基づく有色トナー画像と、生成されたクリアトナー用画像データにおけるクリアトナー塗布位置の画素の色を有色トナー画像における画素の色とは異なる色で表示したクリアトナー確認用画像と、を交互に切り替えてプレビュー画像として表示部１１４に表示させる。例えば、クリアトナー用画像データにおけるクリアトナー塗布位置の画素の色を有色トナー画像におけるクリアトナー塗布位置の画素値を反転させた色で表示したクリアトナー確認用画像を表示する。
従って、有色トナー画像と、有色トナー画像におけるクリアトナー塗布位置の色を異なる色で表示したクリアトナー確認用画像と、が表示部１１４の同一画面の同じ位置に交互に切り替え表示されるので、ユーザは、用紙に形成される仕上がり画像をイメージしつつ、微妙なクリアトナー塗布位置を確実に認識することが可能となる。
【００６６】
また、画像形成装置１は、クリアトナーフォームデータに基づくクリアトナー使用量を基準として、この基準に対する画像形成部１０５のクリアトナー使用量をユーザが設定するための操作部１１３を備え、制御部１１０は、有色トナー用画像データ、クリアトナーフォームデータ、及び操作部１１３からの設定に基づいてクリアトナー用画像データを生成し、有色トナー用画像データに基づく有色トナー画像と、生成したクリアトナー用画像データにおけるクリアトナー塗布位置の画素の色を有色トナー画像における画素の色とは異なる色で表示したクリアトナー確認用画像と、を交互に切り替えてプレビュー画像として表示部１１４に表示させる。
従って、ユーザは、クリアトナー使用量の設定に応じたクリアトナー塗布位置を容易に認識することができる。
【００６７】
また、タイマー部１１２は、クリアトナーフォームデータに基づくクリアトナー使用量とクリアトナー用画像データに基づくクリアトナー使用量との差分に応じて、切り替え信号のＯＮ時間又はＯＦＦ時間を増減する。従って、有色トナー画像とクリアトナー確認用画像のそれぞれが表示される長さが上記差分によって変わるので、ユーザはクリアトナーフォームデータによって指示したクリアトナー使用量に対して、画像形成部１０５における実際のクリアトナー使用量が増加するのか減少するのかを容易に認識することが可能となる。
【００６８】
また、制御部１１０は、操作部１１３によりクリアトナー使用量の設定が変更された場合に、変更後のクリアトナー使用量の設定に基づいてクリアトナー用画像データを再生成し、有色トナー用画像データに基づく有色トナー画像と、再生成されたクリアトナー用画像データに基づくクリアトナー確認用画像と、を交互に切り替えてプレビュー画像として表示部１１４に表示させる。従って、ユーザは、クリアトナー使用量の設定の変更をリアルタイムに確認することが可能となる。
【００６９】
なお、上記実施の形態における記述は、本発明に係る画像形成装置の好適な一例を示すものであり、これに限定されるものではない。
【００７０】
例えば、制御部１１０は、ＣＰＵとプログラムとの協働によるソフトウエア処理により、ＲＩＰ処理、クリアトナー用画像データの生成、クリアトナー使用量差分算出、プレビュー画像の生成、解像度変換等の各種処理を行うこととして説明したが、これらの各処理を行うハードウエアを備える構成としてもよい。
【００７１】
また、上記の説明では、本発明に係るプログラムのコンピューター読み取り可能な媒体として、ＲＯＭ、不揮発性メモリー、ハードディスク等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００７２】
その他、各装置の細部構成及び細部動作に関しても、本発明の趣旨を逸脱することのない範囲で適宜変更可能である。
【符号の説明】
【００７３】
１  画像形成装置
１０１  画像読取部
１０２  入力画像処理部
１０３  画像メモリー部
１０４  出力画像処理部
１０５  画像形成部
１０６  バス
１０７  ＨＤＤ
１０８  通信部
１０９  ＰＣ
１１０  制御部
１１１  記憶部
１１２  タイマー部
１１３  操作部
１１４  表示部
【図１】
2013246332.tif 000003
【図２】
2013246332.tif 000004
【図３】
2013246332.tif 000005
【図４】
2013246332.tif 000006
【図５】
2013246332.tif 000007
【図６】
2013246332.tif 000008
【図７】
2013246332.tif 000009
【図８】
2013246332.tif 000010
【図９】
2013246332.tif 000011
【図１０】
2013246332.tif 000012
【図１１】
2013246332.tif 000013
【図１２】
2013246332.tif 000014
【図１３】
2013246332.tif 000015
【図１４】
2013246332.tif 000016